(57)【要約】      （修正有）【課題】小型化を図り耐衝撃性を確保しつつもレンズの変位を精度良く確保できるレンズ鏡胴を提供する。【解決手段】非撮影時において、ピン１６０がカム溝１３２に接し、またピン１８０がカム溝１３４に接する代わりに、ピン１５０がカム溝１３１に接しておらず、またピン１７０がカム溝１３３に接していないので、誤ってデジタルスチルカメラを落下させたような場合には、衝撃力はまず互いに接しているピン１６０とカム溝１３２、及びピン１８０とカム溝１３４により吸収されることとなる。これにより、ピン１５０とカム溝１３１との衝接、或いはピン１７０とカム溝１３３との衝接を抑制して、落下後においても高精度なズームレンズ駆動を確保できる。【選択図】図９
2018045024.tif 000002
【特許請求の範囲】
【請求項１】
光軸方向に変位可能にレンズを保持するレンズ鏡胴において、
周面に主係合溝と副係合溝を備えた筒部材と、
前記主係合溝に係合する主係合片と、前記副係合溝内に配置された副係合片とを備えている枠部材と、を有し、
前記筒部材と前記枠部材の少なくとも一方に、前記レンズが保持されており、
前記筒部材と前記枠部材とを相対回動させたときに、前記主係合溝に沿って前記主係合片が相対的に移動すると共に、前記副係合溝に沿って前記副係合片が相対的に移動し、
撮影時において前記主係合片は前記主係合溝に接することで、前記レンズの光軸方向の位置決めを行っており、
非撮影時において前記主係合片は前記主係合溝に接しておらず、前記副係合片は前記副係合溝に接しているレンズ鏡胴。
【請求項２】
前記主係合溝は、撮影時に前記主係合片が位置する第１１領域と、非撮影時に前記主係合片が位置する第１２領域と、前記第１１領域と前記第１２領域とを連結する第１３領域とを有し、前記第１２領域と前記主係合片との最小隙間をＡとし、前記第１３領域と前記主係合片との最小隙間をＢとすると、Ａ＞Ｂが成立する請求項１に記載のレンズ鏡胴。
【請求項３】
前記最小隙間Ｂは、前記主係合片が前記第１１領域側から前記第１２領域側へと変位するにつれて増大する請求項２に記載のレンズ鏡胴。
【請求項４】
前記副係合溝は、撮影時に前記副係合片が位置する第２１領域と、非撮影時に前記副係合片が位置する第２２領域と、前記第２１領域と前記第２２領域とを連結する第２３領域とを有し、前記第２１領域と前記副係合片との最小隙間をＣとし、前記第２３領域と前記副係合片との最小隙間をＤとすると、Ｃ＞Ｄが成立する請求項１〜３のいずれかに記載のレンズ鏡胴。
【請求項５】
前記最小隙間Ｄは、前記副係合片が前記第２１領域側から前記第２２領域側へと変位するにつれて減少する請求項４に記載のレンズ鏡胴。
【請求項６】
光軸方向に変位可能にレンズを保持するレンズ鏡胴において、
周面に主係合溝と副係合溝を備えた筒部材と、
前記主係合溝に係合する主係合片と、前記副係合溝内に配置された副係合片とを備えている枠部材と、を有し、
前記筒部材と前記枠部材の少なくとも一方に、前記レンズが保持されており、
前記筒部材と前記枠部材とを相対回動させたときに、前記主係合溝に沿って前記主係合片が相対的に移動すると共に、前記副係合溝に沿って前記副係合片が相対的に移動し、
撮影時において前記主係合片は前記主係合溝に接することで、前記レンズの光軸方向の位置決めを行っており、
非撮影時において前記主係合片は前記主係合溝に接しており、前記副係合片は前記副係合溝に接しているレンズ鏡胴。
【請求項７】
前記副係合溝は、撮影時に前記副係合片が位置する第２１領域と、非撮影時に前記副係合片が位置する第２２領域と、前記第２１領域と前記第２２領域とを連結する第２３領域とを有し、前記第２１領域と前記副係合片との最小隙間をＣとし、前記第２３領域と前記副係合片との最小隙間をＤとすると、Ｃ＞Ｄが成立する請求項６に記載のレンズ鏡胴。
【請求項８】
前記最小隙間Ｄは、前記副係合片が前記第２１領域側から前記第２２領域側へと変位するにつれて減少する請求項７に記載のレンズ鏡胴。
【請求項９】
撮影時において前記副係合片は前記副係合溝に接していない請求項１〜８のいずれかに記載のレンズ鏡胴。
【請求項１０】
前記主係合片は金属ピンであり、前記副係合片は樹脂ピンである請求項１〜９のいずれかに記載のレンズ鏡胴。
【発明の詳細な説明】
【技術分野】
【０００１】
本発明は、レンズの光軸方向変位を可能とするレンズ鏡胴に関する。
【背景技術】
【０００２】
ズーム撮影が可能なデジタルスチルカメラ等に装着されるレンズ鏡胴において、ズームレンズを保持した移動枠に設けたカムフォロワを、カム筒に形成したカム溝に係合させ、移動枠とカム筒とを相対回動させることで、ズームレンズの光軸方向変位を精度良く行うようになっている。
【０００３】
ところで、例えばテーブルの端に載置したデジタルスチルカメラ等にユーザーが不用意に触れたときなど、これを床面等に落下させてしまうことがある。かかる場合、落下時の衝撃を受けたときに移動枠の慣性等に起因して生じる強い荷重により、カム溝の側面にカムフォロワが押しつけられて塑性変形すると、許容値を超えるレンズ間距離の変動やレンズの偏芯などを招く恐れがある。特に、ズーム比の高倍率化や撮像素子の大型化の要請により、近年はレンズ鏡筒自体が大型化し、レンズ鏡胴や移動枠自体の重量も増加する傾向があり、それにより落下時における衝撃の影響が増大する傾向がある。
【０００４】
これに対し特許文献１には、カム溝に、３個の金属製のカムフォロワと、３個の樹脂製のカムフォロワとをそれぞれ係合させることによって衝撃力を分散して支持することができるようにし、これにより耐衝撃性を向上させたレンズ鏡胴が開示されている。
【先行技術文献】
【特許文献】
【０００５】
【特許文献１】特開２００９−２５８２９５号公報
【発明の概要】
【発明が解決しようとする課題】
【０００６】
ところで、周面にカム溝を形成したカム筒は、コストや軽量化等を考慮して一般的には樹脂から成形されている。特許文献１のレンズ鏡胴においても、カム筒である枠部材は樹脂製であって、樹脂製のピンと一体とされている。ここでカム筒を樹脂製とした場合、例え複数のカム溝の形状を同一とするような設計としても、実際に成形されたカム溝の形状は、製造誤差を含んで相互に異なってしまう可能性が高い。このように形状が異なるカム溝に対して、６個のカムフォロワを同時に係合させようとすると、移動枠とカム筒との相対回動を行ったときに複数のカムフォロワがカム溝を介して競り合いを生じ、それによりスムーズなズーム移動を阻害する恐れがある。
【０００７】
これに対し、特許文献１には具体的な記載はないが、３個の樹脂製のカムフォロワとカム溝との間に隙間を設けることもできる。このような構成とすれば、３個の金属製のカムフォロワの形状等は個別に調整することができることから、カム溝の形状が異なっていても競り合いなく係合させることができ、これによりスムーズなズーム移動を確保することができる。一方、３個の樹脂製のカムフォロワはカム溝に対して通常は接触させないことでズーム移動を阻害することがなく、更に衝撃力が付与されたときには互いに接触させることで荷重を受けることができ、これにより耐衝撃性を向上させることができる。
【０００８】
しかるに、このようなレンズ鏡胴を有するデジタルスチルカメラ等を落下させた際に、ある不具合が発生することが判明した。かかる不具合を具体的に説明する。上述の構成を有するレンズ鏡胴においては、落下時の衝撃力により、最初に３個の金属製のカムフォロワがカム溝から反力Ｆ１を受け、更に各部に弾性変形が生じた後に、３個の樹脂製のカムフォロワがカム溝に当接して反力Ｆ２を受けるというように、二段階で衝撃力の吸収を行うものである。この合計反力（Ｆ１＋Ｆ２）が許容範囲に収まる限りは影響が少ないが、高い位置からの落下など衝撃力が過多の場合、先に衝撃力を受ける金属製のカムフォロワの取付部などの変形が、弾性領域を超えて塑性領域にまで至る恐れがある。金属製のカムフォロワの取付部などが塑性変形してしまうと、カムフォロワとカム溝との当接位置が変化して、許容値を超えるレンズ間距離の変動やレンズの偏芯などを招く恐れがある。一方、かかる衝撃力に抗するためにカムフォロワの取付部などの剛性を高めようとすると、レンズ鏡胴の更なる大型化を招き好ましくない。このような不具合は、レンズ鏡胴をカメラボディ内に沈胴させた状態でデジタルスチルカメラ等を誤って落下させた場合に特に問題となりやすい。
【０００９】
本発明は、上述の課題を解決することを目的としたものであり、小型化を図り耐衝撃性を確保しつつもレンズの変位を精度良く確保できるレンズ鏡胴を提供することを目的とする。
【課題を解決するための手段】
【００１０】
本発明のレンズ鏡胴は、光軸方向に変位可能にレンズを保持するレンズ鏡胴において、
周面に主係合溝と副係合溝を備えた筒部材と、
前記主係合溝に係合する主係合片と、前記副係合溝内に配置された副係合片とを備えている枠部材と、を有し、
前記筒部材と前記枠部材の少なくとも一方に、前記レンズが保持されており、
前記筒部材と前記枠部材とを相対回動させたときに、前記主係合溝に沿って前記主係合片が相対的に移動すると共に、前記副係合溝に沿って前記副係合片が相対的に移動し、
撮影時において前記主係合片は前記主係合溝に接することで、前記レンズの光軸方向の位置決めを行っており、
非撮影時において前記主係合片は前記主係合溝に接しておらず、前記副係合片は前記副係合溝に接しているものである。
【００１１】
本発明のレンズ鏡胴は、光軸方向に変位可能にレンズを保持するレンズ鏡胴において、
周面に主係合溝と副係合溝を備えた筒部材と、
前記主係合溝に係合する主係合片と、前記副係合溝内に配置された副係合片とを備えている枠部材と、を有し、
前記筒部材と前記枠部材の少なくとも一方に、前記レンズが保持されており、
前記筒部材と前記枠部材とを相対回動させたときに、前記主係合溝に沿って前記主係合片が相対的に移動すると共に、前記副係合溝に沿って前記副係合片が相対的に移動し、
撮影時において前記主係合片は前記主係合溝に接することで、前記レンズの光軸方向の位置決めを行っており、
非撮影時において前記主係合片は前記主係合溝に接しており、前記副係合片は前記副係合溝に接しているものである。
【発明の効果】
【００１２】
本発明によれば、小型化を図り耐衝撃性を確保しつつもレンズの変位を精度良く確保できるレンズ鏡胴を提供することができる。
【図面の簡単な説明】
【００１３】
【図１】本実施の形態に係るレンズ鏡筒を備えた撮像装置の一例であるデジタルスチルカメラの外観図である。
【図２】デジタルスチルカメラ１に取り付けられる本実施の形態にかかるレンズ鏡筒１００の斜視図である。
【図３】レンズ鏡筒１００を光軸方向物体側から見た正面図である。
【図４】図３のレンズ鏡筒１００をIV-IV線で切断して矢印方向に見た図である。
【図５】第３保持枠１１５とシャッタ機構１１９の斜視図である。
【図６】レンズ鏡筒１００から、直進筒１２０と回転筒１３０を取り外して示す斜視図である。
【図７】図６の構成を光軸方向物体側から見た正面図である。
【図８】図６の構成を光軸直交方向から見た側面図である。
【図９】図７の構成をIX-IX線で切断して矢印方向に見た断面図である。
【図１０】図８の構成をX-X線で切断して矢印方向に見た断面図である。
【図１１】図１０の構成における矢印XIで示す部位を拡大した図であり、撮影領域の状態である。
【図１２】図１０の構成における矢印XIIで示す部位を拡大した図であり、撮影領域の状態である。
【図１３】回転筒１３０の外周面の展開図である。
【図１４】カム溝１３１における図１３の矢印XIVで示す部位を拡大して示す図である。
【図１５】カム溝１３２における図１３の矢印XVで示す部位を拡大して示す図である。
【図１６】図１１と同様な断面図であるが、非撮影領域の状態である。
【図１７】図１２と同様な断面図であるが、非撮影領域の状態である。
【図１８】回転筒１３０の内周面の展開図である。
【図１９】別な実施の形態にかかるカム溝１３１’の図１４と同様な図である。
【図２０】別な実施の形態にかかるヘリコイド筒２３０の、図６と同様な展開図である。
【発明を実施するための形態】
【００１４】
以下、本発明の実施の形態を、図面を参照して説明する。図１は、本実施の形態に係るレンズ鏡筒を備えた撮像装置の一例であるデジタルスチルカメラの外観図である。図１（ａ）は、デジタルスチルカメラ１の前面図であり、図１（ｂ）は背面図である。
【００１５】
図１に示す様に、デジタルスチルカメラ１は、レンズ鏡筒と撮像素子を有する撮像部２、及び、カメラ本体部３よりなる。
【００１６】
撮像部２は、ズーム動作可能なレンズ鏡筒及びＣＣＤ等の固体撮像素子からなり、レンズ鏡筒を介して結像された被写体像を固体撮像素子で画像信号に変換できる。
【００１７】
カメラ本体部３は、ＬＣＤ（Ｌｉｑｕｉｄ Ｃｒｙｓｔａｌ Ｄｉｓｐｌａｙ；液晶表示素子）からなるＬＣＤ表示部６、ＥＶＦ（Ｅｌｅｃｔｒｏｎｉｃ Ｖｉｅｗ Ｆｉｎｄｅｒ；電子ビューファインダ）７、デジタルスチルカメラ１を図示しないパーソナルコンピュータに接続する外部接続端子を有しており、撮像部２で取り込まれた画像信号に所定の信号処理を施し、ＬＣＤ表示部６やＥＶＦ７への画像表示、不図示のメモリカードなどの記録媒体への画像記録、あるいはパーソナルコンピュータへの画像の転送といった処理を行うことができる。
【００１８】
カメラ本体部３の前面には、上部適所にフラッシュ発光部４が設けられている。また、カメラ本体部３の背面には撮影画像の表示や記録画像の再生表示を行うＬＣＤ表示部６とＥＶＦ７が設けられている。
【００１９】
カメラ本体部３の上面には、シャッタボタン５と、シャッタボタン５の近くに「記録モード」と「再生モード」とを切換設定する、不図示の撮影モード切換スイッチが設けられている。記録モードは、撮影待機状態から露光制御のプロセスを経て撮影にいたる写真撮影を行うモードであり、再生モードは、メモリカードに記録された撮影画像をＬＣＤ表示部６やＥＶＦ７に再生表示するモードである。
【００２０】
カメラ本体部３の背面には、再生画像のコマ送りや、撮影時にズーム操作を行うための再生コマ送りスイッチ兼ズームスイッチ９が設けられている。再生コマ送りスイッチ兼ズームスイッチ９における再生画像のコマ送りとは、カメラを再生モードに設定しメモリカードに記録された画像をコマ番号とともにＬＣＤ表示部６に順次表示する様にしたものである。なお、ＬＣＤ表示部６への画像表示を昇順方向（撮影順の方向）若しくは降順方向（撮影順と逆の方向）に変更指示することも可能である。また、撮影時のズーム操作は、再生コマ送りスイッチ兼ズームスイッチ９を操作することにより、ズームレンズである撮像光学系をテレ方向若しくはワイド方向に変倍させることができる。
【００２１】
さらに、カメラ本体部３の背面には、画像表示を行うためのＬＣＤ表示部６とＥＶＦ７とを選択するＥＶＦ切換スイッチ８が設けられている。
【００２２】
また、カメラ本体部３の底面内部には、デジタルスチルカメラ１の動作用電源としての電池（図示せず）が設けられている。
【００２３】
図２は、デジタルスチルカメラ１に取り付けられる本実施の形態にかかるレンズ鏡筒１００の斜視図であり、図３は、レンズ鏡筒１００を光軸方向物体側から見た正面図であり、図４は、図３のレンズ鏡筒１００をIV-IV線で切断して矢印方向に見た図である。
【００２４】
本実施の形態にかかるレンズ鏡筒１００を、５群構成のズームレンズを例にとって説明する。レンズ鏡筒１００は、物体側から順に第１レンズ群Ｌ１、第２レンズ群Ｌ２、第３レンズ群Ｌ３、第４レンズ群Ｌ４、第５レンズ群Ｌ５からなる光学系を有する。第１レンズ群Ｌ１、第２レンズ群Ｌ２、第３レンズ群Ｌ３、第４レンズ群Ｌ４は、互いの群間距離を変化させながら光軸方向に移動（変位）してズーミングを行う。また、第４レンズ群Ｌ４は独立して光軸方向に移動してフォーカシングも行う。第５レンズ群Ｌ５は撮像時に光軸方向に移動しないレンズ群である。
【００２５】
図４を参照して、レンズ鏡筒１００の概略構成を説明する。レンズ鏡筒１００は、光軸直交方向外方から、外側固定筒１１０，直進筒（枠部材）１２０、回転筒（筒部材）１３０、内側固定筒１４０を同軸に設けており、これら全てが樹脂製である。端部をカメラ本体部３に固定される外側固定筒１１０は、光軸方向に延在する一対のガイド溝１１１を内側面に設けている。直進筒１２０の外周には、ガイド溝１１１に係合する突起１２１が設けられており、これにより直進筒１２０は、回転することなく外側固定筒１１０に対して光軸方向に移動可能となっている。直進筒１２０の物体側端(図４で左端)の内周には、第１レンズ群Ｌ１を保持する第１保持枠１１２が取り付けられている。
【００２６】
直進筒１２０の内周には、詳細は後述するが、金属製のピン（主係合片）１５０と、樹脂製のピン（副係合片）１６０が設けられている。光軸中心に回転のみ可能なように保持された回転筒１３０の外周には、ピン１５０を収容するカム溝（主係合溝）１３１が形成され、ピン１６０を収容するカム溝（副係合溝）１３２が形成されている。第２レンズ群Ｌ２を保持する第２保持枠１１３は、光軸方向に延在する２本のガイド軸１１４(図４では一本のみ図示)の端部に固定されている。ガイド軸１１４は、内側固定筒１４０の孔（不図示）に係合しており、この孔に対して摺動することで第２保持枠１１３とともに光軸方向に移動可能となっている。内側固定筒１４０内に設けられた第３レンズ群Ｌ３は、第３保持枠（枠部材）１１５により保持されている。
【００２７】
内側固定筒１４０内において、第４レンズ群Ｌ４は第４保持枠１１７により保持されており、第４保持枠１１７は、内側固定筒１４０に固定されて光軸方向に延在する２本のガイド軸１１６に沿って光軸方向に移動可能となっている。第５レンズ群Ｌ５は、第５保持枠１１８により外側固定筒１１０の端部に固定されている。なお、第３レンズ群Ｌ３の物体側には、シャッタ機構１１９が配置されている。
【００２８】
図５は、第３保持枠１１５とシャッタ機構１１９の斜視図である。図に示すように第３保持枠１１５は、２本のガイド軸１１６に保持されている。又、第３保持枠１１５の外周から光軸方向に延在するようにしてアーム部１１５ａが一体的に形成されており、更にアーム部１１５ａから、金属製のピン１７０と樹脂製のピン１８０が、径方向外側に突出するようにして固定配置されている。尚、後述する図９に点線で示すように、主係合片であるピン１７０は、回転筒１３０の内周に形成されたカム溝（主係合溝）１３３内に収容され、副係合片であるピン１８０は、回転筒１３０の内周に形成されたカム溝（副係合溝）１３４内に収容されている。
【００２９】
図６は、レンズ鏡筒１００から、直進筒１２０と回転筒１３０を取り外して示す斜視図であり、図７は、図６の構成を光軸方向物体側から見た正面図であり、図８は、図６の構成を光軸直交方向から見た側面図であり、図９は、図７の構成をIX-IX線で切断して矢印方向に見た断面図であり、図１０は、図８の構成をX-X線で切断して矢印方向に見た断面図である。図１１，１２は、図１０の構成における矢印XI,XIIで示す部位をそれぞれ拡大した図である。
【００３０】
図６、１０に示すように、直進筒１２０の像側端外周には、略矩形状に盛り上がった突起１２１が６０度間隔で形成されている。図１０における上方の突起１２１と、それから周方向に１２０°離れて配置された突起１２１内には段付き孔１２２が形成されている。
【００３１】
図１１に示すように、段付き孔１２２は、拡径孔部１２２ａと縮径孔部１２２ｂとを有する。又、金属製のピン１５０は、円筒部１５０ａと、円盤部１５０ｂと、切頭円錐部１５０ｃとを同軸に連結した形状を有する。円筒部１５０ａを縮径孔部１２２ｂに挿通し、円盤部１５０ｂを拡径孔部１２２ａに突き当てることで、ピン１５０が段付き孔１２２に取り付けられている。
【００３２】
一方、直進筒１２０における段付き孔を形成していない３つの突起１２１の内周側は、図１２に示すように切頭円錐状に隆起しており、これが樹脂製のピン１６０を構成する。ピン１６０は、平坦な頂面１６０ａと、頂面１６０ａに接続する円錐面１６０ｂとを有する。
【００３３】
ピン１５０は、回転筒１３０の外周に形成されたカム溝１３１内に収容配置され、ピン１６０は、回転筒１３０の外周に形成されたカム溝１３２内に収容配置されている。カム溝１３１，１３２は周方向に等間隔に形成されている。カム溝１３１、１３２は、設計上、同一形状を有し、図１１，１２の断面で底部に向かうにつれて両側面が接近するテーパ形状となっている。より具体的には、カム溝１３１は、底面１３１ａと、底面１３１ａに接続する一対の側面１３１ｂとを有する。又、カム溝１３２も、底面１３２ａと、底面１３２ａに接続する一対の側面１３２ｂとを有する。
【００３４】
図１３は、回転筒１３０の外周面の展開図である。図１４は、カム溝１３１における図１３の矢印XIVで示す部位を拡大して示す図であり、図１５は、カム溝１３２における図１３の矢印XVで示す部位を拡大して示す図であるが、理解しやすいようにそれぞれ溝幅を誇張しており、また同方向に見たピン１５０，１６０の主要部外形を点線で模式的に示している。
【００３５】
図１４において、カム溝１３１は、撮影時にピン１５０が位置する撮影領域（第１１領域）１３１Ａと、撮影時以外の時（非撮影時という）にピン１５０が位置する非撮影領域１３１Ｂとを有する。非撮影領域１３１Ｂは、撮影領域１３１Ａに接続し且つ撮影領域１３１Ａから離れるにつれて漸次溝幅が広がる遷移領域（第１３領域）１３１Ｃを有する。遷移領域１３１Ｃ以外の非撮影領域１３１Ｂが、第１２領域となる。
【００３６】
撮影領域１３１Ａでは、図１１に示すように、ピン１５０はカム溝１３１の側面１３１ｂに接した状態で相対的に摺動する。ピン１５０が撮影領域１３１Ａ内で、非撮影領域１３１Ｂから離れる側に移動することでズームレンズがテレ端側に接近するように直進筒１２０を駆動し、或いは非撮影領域１３１Ｂに近づく側に移動することでズームレンズがワイド端側するように直進筒１２０を駆動し、これにより精度の良いズームレンズの光軸方向位置決めを行える。一方、非撮影領域１３１Ｂでは、図１６に示すように、ピン１５０はカム溝１３１の側面１３１ｂに接しない状態となる。
【００３７】
ここで、ピン１５０の切頭円錐部１５０ｃと、カム溝１３１の側面１３１ｂの最小隙間をΔ１としたときに、遷移領域１３１Ｃ以外の非撮影領域１３１Ｂにおける最小隙間Δ１をＡとし、遷移領域１３１Ｃにおける最小隙間Δ１をＢとすると、Ｂはピン１５０が撮影領域１３１Ａから離れるにつれて増大するものの、必ずＡ＞Ｂが成立する。又、遷移領域１３１Ｃにおける最小隙間Δ１（＝Ｂ）は、ピン１５０が撮影領域１３１Ａ側から非撮影領域１３１Ｂ側へと変位するにつれて増大する。このように最小隙間Δ１を漸次変化させるようにして遷移領域１３１Ｃを設けることで、撮影領域１３１Ａと非撮影領域１３１Ｂとの間をピン１５０が移動する際の駆動音の急激な変化等を抑制できる。
【００３８】
図１５において、カム溝１３２は、撮影時にピン１６０が位置する撮影領域（第２１領域）１３２Ａと、撮影時以外の時（非撮影時という）にピン１６０が位置する非撮影領域１３２Ｂとを有する。非撮影領域１３２Ｂは、撮影領域１３２Ａに接続し且つ撮影領域１３２Ａから離れるにつれて漸次溝幅が広がる遷移領域（第２３領域）１３２Ｃを有する。遷移領域１３２Ｃ以外の非撮影領域１３２Ｂが、第２２領域となる。
【００３９】
非撮影領域１３２Ｂでは、図１７に示すように、ピン１６０はカム溝１３１の側面１３１ｂに接した状態で相対的に摺動する。よって、ピン１６０が非撮影領域１３２Ｂ内で、撮影領域１３２Ａから離れる側に移動することで直進筒１２０を駆動することにより、レンズ鏡胴が沈胴状態になる。一方、撮影領域１３２Ａでは、図１２に示すように、ピン１６０はカム溝１３２の側面１３２ｂに接しない状態となる。
【００４０】
ここで、ピン１６０の円錐面１６０ｂと、カム溝１３２の側面１３２ｂの最小隙間をΔ２としたときに、撮影領域１３２Ａにおける最小隙間Δ２をＣとし、遷移領域１３２Ｃにおける最小隙間Δ２をＤとすると、Ｄはピン１６０が撮影領域１３２Ａから離れるにつれて減少するものの、必ずＣ＞Ｄが成立する。又、遷移領域１３２Ｃにおける最小隙間Δ２（＝Ｄ）は、ピン１６０が撮影領域１３２Ａ側から非撮影領域１３２Ｂ側へと変位するにつれて減少する。このように最小隙間Δ２を漸次変化させるようにして遷移領域１３２Ｃを設けることで、撮影領域１３２Ａと非撮影領域１３２Ｂとの間をピン１６０が移動する際の駆動音の急激な変化等を抑制できる。
【００４１】
図１８は、回転筒１３０の内周面の展開図である。図において、回転筒１３０の内周面には、ピン１７０（図６，９参照）に対向するカム溝１３３と、ピン１８０（図６，９参照）に対向するカム溝１３４と、カム溝１３３及びカム溝１３４の各一端と回転筒１３０の周縁とを接続する共通の導入路１３５が形成されている。組み付け時には、回転筒１３０と第３保持枠１１５（図６）を光軸方向に相対移動させることで、ピン１７０，１８０を共通する導入路１３５を通って進入させ、その後、回転筒１３０と第３保持枠１１５とを相対回動させることで、ピン１７０をカム溝１３３内に配置し、ピン１８０をカム溝１３４内に配置させることができる。
【００４２】
カム溝１３３は、撮影時にピン１７０が位置する撮影領域（第１１領域）１３３Ａと、撮影時以外の時（非撮影時という）にピン１７０が位置する非撮影領域１３３Ｂとを有する。非撮影領域１３３Ｂは、撮影領域１３３Ａに接続し且つ撮影領域１３３Ａから離れるにつれて漸次溝幅が広がる遷移領域（第１３領域）１３３Ｃを有する。遷移領域１３３Ｃ以外の非撮影領域１３３Ｂが、第１２領域となる。
【００４３】
撮影領域１３３Ａでは、ピン１７０はカム溝１３３の側面に接した状態で相対的に摺動する。よって、ピン１７０が撮影領域１３３Ａ内で、非撮影領域１３３Ｂから離れる側に移動することでズームレンズがテレ端側に接近するように第３保持枠１１５を駆動し、或いは非撮影領域１３１Ｂに近づく側に移動することでズームレンズがワイド端側するように第３保持枠１１５を駆動し、これにより精度の良いズームレンズの光軸方向位置決めを行える。一方、非撮影領域１３３Ｂでは、ピン１７０はカム溝１３１に接しない状態となる。
【００４４】
ここで、図示はしていないがピン１７０とカム溝１３３の最小隙間をΔ１としたときに、遷移領域１３３Ｃ以外の非撮影領域１３３Ｂにおける最小隙間Δ１をＡとし、遷移領域１３３Ｃにおける最小隙間Δ１をＢとすると、Ｂはピン１７０が撮影領域１３３Ａから離れるにつれて増大するものの、必ずＡ＞Ｂが成立する。又、遷移領域１３３Ｃにおける最小隙間Δ１（＝Ｂ）は、ピン１７０が撮影領域１３３Ａ側から非撮影領域１３３Ｂ側へと変位するにつれて増大する。このように最小隙間Δ１を漸次変化させるようにして遷移領域１３３Ｃを設けることで、撮影領域１３３Ａと非撮影領域１３３Ｂとの間をピン１７０が移動する際の駆動音の急激な変化等を抑制できる。
【００４５】
また図１８において、カム溝１３４は、撮影時（撮影可能なポジションにレンズ群があることをいう）にピン１８０が位置する撮影領域（第２１領域）１３４Ａと、撮影時以外の時（非撮影時：撮影不可能なポジションにレンズ群があることをいう）にピン１８０が位置する非撮影領域１３４Ｂとを有する。非撮影領域１３４Ｂは、撮影領域１３４Ａに接続し且つ撮影領域１３４Ａから離れるにつれて漸次溝幅が広がる遷移領域（第２３領域）１３４Ｃを有する。遷移領域１３４Ｃ以外の非撮影領域１３４Ｂが、第２２領域となる。
【００４６】
非撮影領域１３４Ｂでは、ピン１８０はカム溝１３４の側面に接した状態で相対的に摺動する。よって、ピン１８０が非撮影領域１３４Ｂ内で、撮影領域１３４Ａから離れる側に移動することで第３保持枠１１５を駆動することにより、レンズ鏡胴が沈胴状態になる。一方、撮影領域１３４Ａでは、ピン１８０はカム溝１３４に接しない状態となる。
【００４７】
ここで、図示はしていないがピン１８０とカム溝１３４の最小隙間をΔ２としたときに、撮影領域１３４Ａにおける最小隙間Δ２をＣとし、遷移領域１３４Ｃにおける最小隙間Δ２をＤとすると、Ｄはピン１８０が撮影領域１３４Ａから離れるにつれて減少するものの、必ずＣ＞Ｄが成立する。又、遷移領域１３４Ｃにおける最小隙間Δ２は、ピン１８０が撮影領域１３４Ａ側から非撮影領域１３４Ｂ側へと変位するにつれて減少する。このように最小隙間Δ２（＝Ｄ）を漸次変化させるようにして遷移領域１３４Ｃを設けることで、撮影領域１３４Ａと非撮影領域１３４Ｂとの間をピン１８０が移動する際の駆動音の急激な変化等を抑制できる。尚、ピン１７０，１８０及びカム溝１３３，１３４において、説明したもの以外、ピン１５０，１６０及びカム溝１３１，１３２の構成と同様である。
【００４８】
レンズ鏡筒１００の動作について説明する。ズーム動作時には、図２に示すモータＭＴが回転することで、不図示の動力伝達機構を介して回転筒１３０が回転する。すると、回転筒１３０のカム溝１３１が回転移動することで、ピン１５０が光軸方向及び回転方向に駆動力を受けるが、直進筒１２０はガイド溝１１１に係合する突起１２１により直進のみが可能とされているので、回転筒１３０の回転に応じて光軸方向に移動することとなる。これにより第１レンズ群Ｌ１は、光軸方向の所定位置へと変位する。
【００４９】
更に、第２保持枠１１３は、回転筒１３０の内周に設けられたカム溝(不図示)に係合するピン(不図示)をそれぞれ有しており、回転筒１３０の回転に応じて、ガイド軸１１４が摺動する孔（不図示）に沿って光軸方向に移動する。これにより第２レンズ群Ｌ２は、光軸方向の所定位置へと変位する。
【００５０】
又、第３保持枠１１５は、回転筒１３０の内周に設けられたカム溝１３２からピン１７０を介して駆動力を受けるから、ガイド軸１１６に案内されつつ、第３レンズ群Ｌ３は光軸方向の所定位置へと変位する。
【００５１】
第４保持枠１１７は、不図示のモータと動力伝達機構を介して光軸方向に変位されるようになっている。回転筒１３０を回転させるためのモータＭＴ及び第４保持枠１１７を駆動するモータは、ズーム動作時にはデジタルスチルカメラ１からの信号に応じて連動するので、第１レンズ群Ｌ１〜第４レンズ群Ｌ４をズームに適した位置へとそれぞれ変位させることができる。第５レンズ群Ｌ５は移動しない。又、第４保持枠１１７を駆動するモータは、デジタルスチルカメラ１からの信号に応じて独立して駆動されるので、フォーカシング時に第４レンズ群Ｌ４のみを光軸方向に変位させることができる。
【００５２】
一方、不図示のパワースイッチをオフ操作することで、ピン１６０がカム溝１３２の非撮影領域１３２Ｂに係合して直進筒１２０が像側へと駆動され、第２保持枠１１３も像側へと駆動され、またピン１８０がカム溝１３４の非撮影領域１３４Ｂに係合して第３保持枠１１５が像側へと駆動され、更に第４保持枠１１７も同方向に移動して、レンズ鏡筒１００は図４に示す沈胴状態となる。
【００５３】
以上述べた本実施の形態によれば、撮影時において、ピン１５０がカム溝１３１に接し、またピン１７０がカム溝１３３に接することで、ズームレンズの精度良い光軸方向位置決めを行うことができる。又、撮影時において、ピン１６０がカム溝１３２に接しておらず、またピン１８０がカム溝１３４に接していないので、カム溝１３２、１３４の形状が製造誤差等により異なっている場合でも、かかるカム溝を介した競り合いを抑制できる。
【００５４】
一方、非撮影時において、ピン１６０がカム溝１３２に接し、またピン１８０がカム溝１３４に接する代わりに、ピン１５０がカム溝１３１に接しておらず、またピン１７０がカム溝１３３に接していないので、誤ってデジタルスチルカメラ１を落下させたような場合には、衝撃力はまず互いに接しているピン１６０とカム溝１３２、及びピン１８０とカム溝１３４により吸収されることとなる。これにより、ピン１５０とカム溝１３１との衝接、或いはピン１７０とカム溝１３３との衝接を抑制して、落下後においても高精度なズームレンズ駆動を確保できる。又、衝撃力が過多であった場合には、ピン１５０とカム溝１３１との接触、或いはピン１７０とカム溝１３３との接触を招来する可能性もあるが、かかる場合にも、先に接触したピン１６０とカム溝１３２、及びピン１８０とカム溝１３４にて衝撃力の多くを吸収することから、ピン１５０、１７０の塑性変形などを有効に回避することで高精度なズームレンズ駆動を確保できる。尚、非撮影時には、樹脂製のピン１６０がカム溝１３２に接し、また樹脂製のピン１８０がカム溝１３４に接することから、各レンズの位置決め精度はある程度低下すると予想されるが、非撮影時であるため特に問題は生じない。
【００５５】
図１９は、別な実施の形態にかかるカム溝１３１’の図１４と同様な図である。本実施の形態においては、カム溝１３１’は、撮影時にピン１５０が位置する撮影領域１３１Ａと、非撮影時にピン１５０が位置する非撮影領域１３１Ｂとを有する。但し、図に示すように、撮影領域１３１Ａと非撮影領域１３１Ｂにおけるカム溝１３１’の断面形状は同じである。従って、本実施の形態では、撮影時及び非撮影時の全域でピン１５０はカム溝１３１’に接することとなる。それ以外の構成は，上述した実施の形態と同様である。
【００５６】
上述した実施の形態とは異なり本実施の形態では、非撮影時において、ピン１６０がカム溝１３２に接し、またピン１８０がカム溝１３４に接することに加え、ピン１５０がカム溝１３１に接し、またピン１７０がカム溝１３３に接するので、つまり６本のピンが６つのカム溝に接していることとなる。よって、誤ってデジタルスチルカメラ１を落下させたような場合には、衝撃力は６対のピン及びカム溝により分散して吸収されるため、落下後においても高精度なズームレンズ駆動を確保できる。それ以外の効果は，上述した実施の形態と同様である。
【００５７】
図２０は、別な実施の形態にかかるヘリコイド筒２３０の、図６と同様な展開図である。本変形例のヘリコイド筒（筒部材）２３０は、カム溝の代わりに３本のヘリコイド溝（主係合溝）ＨＧと、３本の副係合溝ＤＧを等間隔で形成している。ヘリコイド溝ＨＧ内に、不図示の枠部材から突出した金属製のヘリコイド（主係合片）ＨＣがそれぞれ配置され、また副係合溝ＤＧ内に、不図示のレンズを保持する枠部材から突出した樹脂製の副ヘリコイド（副係合片）ＤＨがそれぞれ配置されている。
【００５８】
ヘリコイド溝ＨＧは、撮影時にヘリコイドＨＣが位置する撮影領域（第１１領域）ＨＧＡと、撮影時以外の時（非撮影時という）にヘリコイドＨＣが位置する非撮影領域ＨＧＢと、導入路ＨＧＣとを有する。各ヘリコイドＨＣは、ヘリコイド筒２３０の外部より導入路ＨＧＣを通って非撮影領域ＨＧＢ内に配置される。尚、非撮影領域ＨＧＢは、撮影領域ＨＧＡに接続し且つ撮影領域ＨＧＡから離れるにつれて漸次溝幅が広がる遷移領域を設けても良い。この場合、遷移領域が第１３領域となり、この遷移領域以外の非撮影領域ＨＧＢが、第１２領域となる。この場合のヘリコイドＨＣとヘリコイド溝ＨＧとの最小隙間Δ１の関係は、上述した実施の形態と同様である。
【００５９】
撮影領域ＨＧＡでは、ヘリコイドＨＣはヘリコイド溝ＨＧに接した状態で相対的に摺動する。よって、ヘリコイドＨＣが撮影領域ＨＧＡ内で、非撮影領域ＨＧＢから離れる側に移動することでズームレンズがテレ端側に接近し、或いは非撮影領域ＨＧＢに近づく側に移動することでズームレンズがワイド端側に接近し、これにより精度の良いズームレンズの光軸方向位置決めを行える。一方、非撮影領域ＨＧＢでは、ヘリコイドＨＣはヘリコイド溝ＨＧに接しない状態となるので、かかる状態で誤ってデジタルスチルカメラを落下させた場合には、ヘリコイドＨＣとヘリコイド溝ＨＧの衝接を抑制できるから、落下後においても高精度なズームレンズ駆動を確保できる。
【００６０】
また図２０において、副係合溝ＤＧは、撮影時に副ヘリコイドＤＨが位置する撮影領域（第２１領域）ＤＧＡと、撮影時以外の時（非撮影時という）に副ヘリコイドＤＨが位置する非撮影領域ＤＧＢとを有する。副ヘリコイドＤＨは、ヘリコイド筒２３０の外部より導入路ＤＧＣを通って非撮影領域ＤＧＢ内に配置される。尚、非撮影領域ＤＧＢは、撮影領域ＤＧＡに接続し且つ撮影領域ＤＧＡから離れるにつれて漸次溝幅が狭まる遷移領域を設けても良い。この場合、遷移領域が第２３領域となり、この遷移領域以外の非撮影領域ＤＧＢが、第２２領域となる。この場合の副ヘリコイドＤＨと副係合溝ＤＧとの最小隙間Δ２の関係は、上述した実施の形態と同様である。
【００６１】
非撮影領域ＤＧＢでは、副ヘリコイドＤＨは副係合溝ＤＧに接した状態で相対的に摺動する。よって、副ヘリコイドＤＨが非撮影領域ＤＧＢ内で、撮影領域ＤＧＡから離れる側に移動することでレンズ鏡胴が沈胴状態になり、かかる状態で誤ってデジタルスチルカメラを落下させた場合には、互いに接している副ヘリコイドＤＨと副係合溝ＤＧとで衝撃力を抑制できる。一方、撮影領域ＤＧＡでは、副ヘリコイドＤＨは副係合溝ＤＧに接しない状態となるから、ズーム動作を阻害することがない。それ以外の構成は，上述した実施の形態と同様である。
【００６２】
更に別な実施の形態としては、撮影領域ＨＧＡと非撮影領域ＨＧＢの双方で、ヘリコイドＨＣがヘリコイド溝ＨＧに接するようにすることもできる。これにより非撮影時に、ヘリコイドＨＣがヘリコイド溝ＨＧに接し、且つ副ヘリコイドＤＨが副係合溝ＤＧに接するので、６対のヘリコイドと溝とが接していることとなる。よって、誤ってデジタルスチルカメラ１を落下させたような場合には、衝撃力は６対のヘリコイドと溝とにより分散して吸収されるため、落下後においても高精度なズームレンズ駆動を確保できる。それ以外の効果は，上述した実施の形態と同様である。
【符号の説明】
【００６３】
１            デジタルスチルカメラ
２            撮像部
３            カメラ本体部
４            フラッシュ発光部
５            シャッタボタン
６            表示部
７            ＥＶＦ
８            切換スイッチ
９            スイッチ兼ズームスイッチ
１００            レンズ鏡筒
１１０            外側固定筒
１１１            ガイド溝
１１２            第１保持枠
１１３            第２保持枠
１１４            ガイド軸
１１５            第３保持枠
１１５ａ          アーム部
１１６            ガイド軸
１１７            第４保持枠
１１８            第５保持枠
１１９            シャッタ機構
１２０            直進筒
１２１            突起
１２２            孔
１２２ａ          拡径孔部
１２２ｂ          縮径孔部
１３０            回転筒
１３１            カム溝
１３１Ａ          撮影領域
１３１Ｂ          非撮影領域
１３１Ｃ          遷移領域
１３１ａ          底面
１３１ｂ          側面
１３２            カム溝
１３２Ａ          撮影領域
１３２Ｂ          非撮影領域
１３２Ｃ          遷移領域
１３２ａ          底面
１３２ｂ          側面
１３３            カム溝
１３３Ａ          撮影領域
１３３Ｂ          非撮影領域
１３３Ｃ          遷移領域
１３４            カム溝
１３４Ａ          撮影領域
１３４Ｂ          非撮影領域
１３４Ｃ          遷移領域
１３５            導入路
１４０            内側固定筒
１５０            ピン
１５０ａ          円筒部
１５０ｂ          円盤部
１５０ｃ          切頭円錐部
１６０            ピン
１６０ａ          頂面
１６０ｂ          円錐面
１７０            ピン
１８０            ピン
２３０            ヘリコイド筒
ＤＧ            副係合溝
ＤＧＡ            撮影領域
ＤＧＢ            非撮影領域
ＤＧＣ            導入路
ＤＨ            副ヘリコイド
ＨＣ            ヘリコイド
ＨＧ            ヘリコイド溝
ＨＧＡ            撮影領域
ＨＧＢ            非撮影領域
ＨＧＣ            導入路
Ｌ１−Ｌ５        レンズ群
ＭＴ            モータ
Δ１            最小隙間
Δ２            最小隙間
【図１】
2018045024.tif 000003
【図２】
2018045024.tif 000004
【図３】
2018045024.tif 000005
【図４】
2018045024.tif 000006
【図５】
2018045024.tif 000007
【図６】
2018045024.tif 000008
【図７】
2018045024.tif 000009
【図８】
2018045024.tif 000010
【図９】
2018045024.tif 000011
【図１０】
2018045024.tif 000012
【図１１】
2018045024.tif 000013
【図１２】
2018045024.tif 000014
【図１３】
2018045024.tif 000015
【図１４】
2018045024.tif 000016
【図１５】
2018045024.tif 000017
【図１６】
2018045024.tif 000018
【図１７】
2018045024.tif 000019
【図１８】
2018045024.tif 000020
【図１９】
2018045024.tif 000021
【図２０】
2018045024.tif 000022